(57)【要約】      （修正有）【課題】切り花の鮮度を長時間保持する為に、定期的な水の交換や過大な労力と手間を必要としない切花用ショーケースを提供する。【解決手段】切り花の切り口を挿入して立てる収納容器１を上下多段に配列するショーケース本体２の内部空間に冷却機３,循環ポンプ４,活性化装置５及び循環水の濾過槽を設置した装置において，循環ポンプの吐出管７よりバイパスした循環水を複数個のノズルを設けたノズルパイプに連通し、このノズルパイプ８より吐出された微細なシャワーを冷却機の冷却側熱交換器９に注いで循環水を冷却する切り花用ショーケースである。また、送水管の経路に設けた循環水の活性化装置は、２０〜６０°出口を上方に傾斜させて接続し、装置内には比重の比較的軽いセラミックボールを活性化装置の内容積の約５０〜８０％程度充填した。【選択図】図１
2005125049.tif 000002
【特許請求の範囲】
【請求項１】
切り花の切り口を挿入して立てる収納容器を上下多段に配列するショーケース本体の内部空間に冷却機と循環水を収納容器の上段から下段へ循環させる循環ポンプと循環水を活性化する活性化装置と循環水の濾過槽を設置した装置において、循環ポンプの吐出管よりバイパスした循環水を複数個のノズルを設けたノズルパイプに連通し、このノズルパイプより吐出された微細なシャワーを冷却機の冷却槽の上方に配置した冷却側熱交換器に注いで循環水を冷却することを特徴とする切り花用ショーケース。
【請求項２】
循環水の送水管の経路に設け、循環水を活性化する活性化装置は、ほぼ２０〜６０°循環水出口方向を上方に傾斜させて接続し、活性化装置内には比重の比較的軽い比重１．５〜３．０程度のセラミックボールを活性化装置の内容積の約５０〜８０％程度充填したことを特徴とする請求項１に記載の切り花用ショーケース。
【発明の詳細な説明】
【発明の詳細な説明】
【技術分野】
【０００１】  本発明はフラワーショップなどにおいて切り花を陳列するための切り花用ショーケースに関するものである。
【背景技術】
【０００２】  従来の切り花用ショーケースは特開平９−１４０５２５号公報に示すように、切り花の切り口を水に浸して鮮度を保持しながら店頭に展示販売するものが多い。
【発明が解決しようとする課題】
【０００３】  しかし、上記のような特開平９−１４０５２５号公報に示された構成のショーケースでは切り花の鮮度を長時間保持するには、定期的な水の交換が必要で過大な労力と手間が必要であった。
【課題を解決するための手段】
【０００４】  この課題を解決するための手段は次の通りである。即ち、切り花の切り口を挿入して立てる収納容器を上下多段に配列するショーケース本体の内部空間に冷却機と循環水を収納容器の上段から下段へ循環させる循環ポンプと循環水を活性化する活性化装置と循環水の濾過槽を設置した装置において、循環ポンプの吐出管よりバイパスした循環水を複数個のノズルを設けたノズルパイプに連通し、このノズルパイプより吐出された微細なシャワーを冷却機の冷却槽の上方に配置した冷却側熱交換器に注いで循環水を冷却する切り花用ショーケースである。
また、循環水の送水管の経路に設け、循環水を活性化する活性化装置は、ほぼ２０〜６０°循環水出口方向を上方に傾斜させて接続し、活性化装置内には比重の比較的軽い比重１．５〜３．０程度のセラミックボールを活性化装置の内容積の約５０〜８０％程度充填した切り花用ショーケースである。
【発明を実施するための最良の形態】
【０００５】  発明の実施の形態を実施例にもとづき図面を参照して説明する。
図１、図２、図３において、切り花の切り口を挿入して立てる収納容器１を上下多段に配列するショーケース本体２の内部空間に冷却機３と循環水を収納容器１の上段から下段へ循環させる循環ポンプ４と循環水を活性化する活性化装置５と循環水Ｗの濾過槽６を設置した装置において、循環ポンプ４の吐出管よりバイパスした循環水Ｗを複数個のノズルを設けたノズルパイプ８に連通し、このノズルパイプ８より吐出された微細なシャワーＳを冷却機３の冷却槽１２の上方に配置した冷却側熱交換器９に注いで循環水Ｗを冷却する形態の切り花用ショーケースである。
また、循環水Ｗの送水管の経路に設け、循環水を活性化する活性化装置５は、ほぼ図に示すようにα＝２０〜６０°循環水出口方向を上方に傾斜させて接続し、活性化装置５内には比重の比較的軽い比重１．５〜３．０程度のセラミックボールＢを活性化装置５の内容積の約５０〜８０％程度充填した形態の切り花用ショーケースである。
次に、本発明実施例の切り花用ショーケースの作用を説明する。
本発明の作用を詳述すると、循環ポンプ４より分技してバイパス管１３、流量調整コック１４を通った循環水Ｗは宙吊り状の冷却側熱交換器９にノズルパイプ８の複数のノズル穴より噴射するＳで示すシャワーを注ぎ、従って冷却側熱交換器９は効率よく熱交換し、循環水Ｗは冷却される。この間に循環水Ｗはシャワーになって、空気に十分に触れて、循環水Ｗは溶存酸素量の多い、クラスターの小さい冷却水になる。従って、冷却側熱交換器９はシャワーにより循環水Ｗを効率よく熱交換冷却するとともに、溶存酸素量の多い、クラスターの小さい冷却水は花の保存時間を長くする作用効果を発揮する。
更に、循環水Ｗを活性化する活性化装置５は、図に示すように、ほぼ２０〜６０°循環水出口方向を上方に傾斜させて接続し、活性化装置５内には比重の比較的軽い比重１．５〜３．０程度のセラミックボールＢを活性化装置５の内容積の約５０〜８０％程度充填し、且つ、２０〜６０°に傾斜しているので、循環水Ｗの水流の流速によりセラミックボールＢは活性化装置５内で回転、流動し易くなっていて、セラミックボールＢは互いに衝突、摩擦を繰り返し、セラミックボールＢ表面に摩擦電気が生じる。この摩擦電気が循環水Ｗのクラスターを小さくする作用を促進してクラスターの小さい冷却水は花の保存時間を長くする作用効果を発揮する。
【発明の効果】
【０００６】  以上説明したように、循環ポンプ４より分技してバイパス管１３、流量調整コック１４を通った循環水Ｗは宙吊り状の冷却側熱交換器９にノズルパイプ８より噴射したＳで示すシャワーが注がれて、循環水Ｗは冷却される。従って、冷却側熱交換器９はシャワーにより効率よく熱交換し、循環水Ｗは効率よく冷却される。この間に循環水Ｗはシャワーになって、空気に十分に触れて、循環水Ｗは溶存酸素量の多い冷却水になるとともにクラスターが小さくなる。即ち、溶存酸素量の多い、クラスターの小さい冷却水は花の保存時間を長くする効果を発揮する。
また、循環水Ｗは循環ポンプ４により活性化装置５を通り、循環水Ｗの流速によりセラミックボールＢは活性化装置５内で回転、流動し、セラミックボールＢは互いに衝突、摩擦を繰り返し，セラミックボール表面に摩擦電気が生じ、循環水Ｗのクラスターを小さくする作用を促進し、クラスターの小さい冷却水は更に花の保存時間を長くする作用効果を発揮する。
【図面の簡単な説明】
【図１】  本発明の切り花用ショーケースの断面図である。
【図２】  切り花用ショーケースの循環水冷却部の詳細斜視図である。
【図３】  本発明の切り花用ショーケースの正面図である。
【符号の説明】
１    収納容器
２    ショーケース本体
３    冷却機
４    循環ポンプ
５    活性化装置
６    濾過槽
７    吐出管
８    ノズルパイプ
９    冷却側熱交換器
１０  発熱側熱交換器
１１  空冷ファン
１２  冷却槽
１３  バイパス管
１４  流量調整コック
１５  吸引側連通管
１６  溢水管
１７  濾過材
【図１】
2005125049.tif 000003
【図２】
2005125049.tif 000004
【図３】
2005125049.tif 000005